(57)【要約】【課題】小形化や電気特性の改善が可能であって、点灯回路の電子部品が異常発熱しても照明器具に熱損傷を与えにくい電球形蛍光ランプおよびこの電球形蛍光ランプを配設する照明器具を提供する。【解決手段】電球形蛍光ランプ１は、屈曲形の蛍光ランプ２と、点灯回路部品８を実装している基板４と、一端側に電球用ソケットに装着可能な口金７を有し、基板４の点灯回路部品８を収容している支持部材５と、支持部材５の他端側を包囲する耐熱性を有するカバー６と、蛍光ランプ２の端部側を保持し、支持部材５の他端側またはカバー６の他端側６ｂを介して支持部材５の一端側のいずれか一方で支持されている保持部材３とを具備している。【選択図】図１
2009181848.tif 000002
【特許請求の範囲】
【請求項１】
屈曲形の蛍光ランプと；
この蛍光ランプを点灯させる点灯回路部品を実装している基板と；
一端側に電球用ソケットに装着可能な口金を有し、前記基板の点灯回路部品を収容している支持部材と；
この支持部材の他端側を包囲する耐熱性を有するカバーと；
前記蛍光ランプの端部側を保持し、前記支持部材の他端側または前記カバーの他端側を介して前記支持部材の一端側のいずれか一方で支持されている保持部材と；
を具備していることを特徴とする電球形蛍光ランプ。
【請求項２】
前記保持部材は、前記カバーの他端側を介して前記支持部材の一端側に支持されるものであって、前記カバーは、他端側に係止部が形成され、この係止部が前記保持部材に形成された被係止部に係止するとともに、一端側が前記支持部材の一端側所定部位の外周部を挟持して前記支持部材に装着されることを特徴とする請求項１記載の電球形蛍光ランプ。
【請求項３】
前記保持部材は、外周に亘って外方側に突出するグローブ取付部を有し、このグローブ取付部に前記蛍光ランプを内包するようにして透光性のグローブが取り付けられていることを特徴とする請求項１または２記載の電球形蛍光ランプ。
【請求項４】
請求項１ないし３いずれか一記載の電球形蛍光ランプと；
この電球形蛍光ランプが装着される電球用ソケットを配設している器具本体と；
を具備していることを特徴とする照明器具。
【発明の詳細な説明】
【技術分野】
【０００１】
本発明は、一般の電球用ソケットに装着される電球形蛍光ランプおよびこの電球形蛍光ランプを配設している照明器具に関する。
【背景技術】
【０００２】
従来、電球形蛍光ランプは、屈曲形成された蛍光ランプ、この蛍光ランプを点灯させる点灯回路および一端側に口金を配設し、他端側で蛍光ランプを支持し、内部に点灯回路を収容するカバーを有して構成されている。そして、点灯回路は、電界効果トランジスタなどのスイッチ素子、抵抗、コンデンサ、ダイオードやインダクタなど、各種の電子部品を基板に実装している。
【０００３】
電球形蛍光ランプの点灯回路は、電子部品の経年劣化等の不具合によって異常発熱することがあり、この状態で点灯を継続するとカバー内の温度が過度に上昇し、点灯回路の電子部品や周辺の部材に悪影響を及ぼし、場合によっては燃焼に至ることがある。特に、この点灯回路の熱影響によって樹脂製のカバーが溶融することがあり、さらに電球形蛍光ランプを配設している照明器具が熱損傷することがある。このため、電子部品を金属製の口金の内部に収容したり(例えば特許文献１参照。)、自己発熱量の多い電子部品をシリコーン樹脂で覆うと共にカバーに当該シリコーンを密着させて放熱性の向上と延焼の防止を図ったり(例えば特許文献２参照。)、電気特性が劣るものの自己発熱量の小さい電子部品を使用することが行われている。
【特許文献１】特開２００６−１１４３５１号公報（第５頁、第１図）
【特許文献２】特開２００６−２４５４４号公報（第９頁、第１図）
【発明の開示】
【発明が解決しようとする課題】
【０００４】
しかしながら、特許文献１のように、点灯回路の電子部品を口金の内部に収容するものであると、電子部品の選定や基板での配置に対する自由度が低下する。また、特許文献２のように、電子部品をシリコーン樹脂で覆い、シリコーン樹脂をカバーに密着させるものであると、基板において当該電子部品をカバーの近くに配置することになり、基板での電子部品の配置に対する自由度が低下する。また、自己発熱量の小さい電子部品を使用すると、安価であって良好な電気特性を有する電子部品を選定できなくなるおそれがある。この結果、電球形蛍光ランプの小形化や電気特性の改善に支障が生じるおそれがある。
【０００５】
本発明は、小形化や電気特性の改善が可能であって、点灯回路の電子部品が異常発熱しても照明器具に熱損傷を与えにくい電球形蛍光ランプおよびこの電球形蛍光ランプを配設する照明器具を提供することを目的とする。
【課題を解決するための手段】
【０００６】
請求項１に記載の電球形蛍光ランプの発明は、屈曲形の蛍光ランプと；この蛍光ランプを点灯させる点灯回路部品を実装している基板と；一端側に電球用ソケットに装着可能な口金を有し、前記基板の点灯回路部品を収容している支持部材と；この支持部材の他端側を包囲する耐熱性を有するカバーと；前記蛍光ランプの端部側を保持し、前記支持部材の他端側または前記カバーの他端側を介して前記支持部材の一端側のいずれか一方で支持されている保持部材と；を具備していることを特徴とする。
【０００７】
本発明および以下の各発明において、特に言及しない限り、各構成は以下による。
【０００８】
屈曲形の蛍光ランプは、直管状のバルブを加熱、軟化させて折曲したものの他、管状のバルブ同士を端部で継いで連通させたブリッジ形あるいはブリッジ後にモールド形で形成したもの、さらにバルブを螺旋状（ヘリカリ状）に形成したものも包含される。
【０００９】
「保持部材がカバーの他端側を介して支持部材の一端側で支持されている」とは、保持部材は、カバーの他端側に支持され、カバーの一端側が支持部材の一端側に支持されていることを意味する。
【００１０】
そして、保持部材は、カバーに支持されるときには、その支持でもってカバーを固定してもよく、支持部材の他端側に支持されるのみであるときには、適宜の固定手段によりカバーを固定する。
【００１１】
基板は、点灯回路部品が支持部材に収容されていれば、保持部材または支持部材のいずれに固定されてもよい。
【００１２】
支持部材は、耐熱性や難燃性を有する部材であればよく、さらに放熱性が良好な部材であることが好ましい。支持部材の材料としては、例えば融点が５００℃以上であるアルミニウム（Ａｌ）、銅（Ｃｕ）、鉄（Ｆｅ）、ニッケル（Ｎｉ）などの金属およびその金属合金、またはセラミックスなどである。
【００１３】
本発明によれば、カバーは、耐熱性を有し、かつ点灯回路部品との間に支持部材が介在するので、点灯回路部品が異常発熱し、さらに燃焼しても、支持部材は溶融することがあっても、カバー自体は溶融しにくい。
【００１４】
請求項２に記載の電球形蛍光ランプの発明は、請求項１記載の電球形蛍光ランプにおいて、前記保持部材は、前記カバーの他端側を介して前記支持部材の一端側に支持されるものであって、前記カバーは、他端側に係止部が形成され、この係止部が前記保持部材に形成された被係止部に係止するとともに、一端側が前記支持部材の一端側所定部位の外周部を挟持して前記支持部材に装着されることを特徴とする。
【００１５】
「支持部材の一端側所定部位の外周部」とは、支持部材の一端側の口金が配設された外面を除く外面のうちの少なくとも一部を意味する。
【００１６】
本発明によれば、カバーの係止部が保持部材の被係止部に係止したときにカバーが支持部材に支持されカバーに保持部材が支持される構成であり、保持部材の内部側にカバーの他端側および支持部材の他端側を係止する係止手段を設けないので、簡易な構成によりカバー、支持部材および保持部材が一体化されて電球形蛍光ランプが形成されるとともに、電球形蛍光ランプの長手方向の寸法を小さくすることが可能となる。
【００１７】
請求項３に記載の電球形蛍光ランプの発明は、請求項１または２記載の電球形蛍光ランプにおいて、前記保持部材は、外周に亘って外方側に突出するグローブ取付部を有し、このグローブ取付部に前記蛍光ランプを内包するようにして透光性のグローブが取り付けられていることを特徴とする。
【００１８】
本発明によれば、保持部材のグローブ取付部にグローブが取り付けられることにより、グローブの取付け構造を簡素化した電球形蛍光ランプが提供される。
【００１９】
請求項４に記載の照明器具の発明は、請求項１ないし３いずれか一記載の電球形蛍光ランプと；この電球形蛍光ランプが装着される電球用ソケットを配設している器具本体と；を具備していることを特徴とする。
【００２０】
本発明によれば、請求項１ないし３いずれか一記載の電球形蛍光ランプを配設する照明器具が提供される。
【発明の効果】
【００２１】
請求項１の発明によれば、点灯回路部品が異常発熱し、さらに燃焼しても、カバー自体は溶融しにくいので、電球形蛍光ランプを配設している照明器具への熱損傷を抑制することができ、点灯回路部品の基板での配置や選定に対する自由度を許容しているので、電球形蛍光ランプの小形化や電気特性の向上を図ることができる。
【００２２】
請求項２の発明によれば、カバーの係止部を保持部材の被係止部に係止することによりカバー、支持部材および保持部材が一体化される構成であるので、容易に電球形蛍光ランプを形成することができて、電球形蛍光ランプを安価にすることができるとともに、電球形蛍光ランプの長手方向の寸法を小さくすることができる。
【００２３】
請求項３の発明によれば、保持部材のグローブ取付部にグローブを取り付けることにより、容易にグローブ付きの電球形蛍光ランプを形成することができる。
【００２４】
請求項４の発明によれば、請求項１ないし３いずれか一記載の電球形蛍光ランプを配設するので、電球形蛍光ランプの点灯回路部品が異常発熱し、さらに燃焼しても、照明器具本体が電球形蛍光ランプから熱損傷を受けにくい照明器具を提供することができる。
【発明を実施するための最良の形態】
【００２５】
以下、本発明の一実施の形態について、図面を参照して説明する。まず、本発明の第１の実施形態について説明する。
【００２６】
図１および図２は、本発明の第１の実施形態を示し、図１は電球形蛍光ランプの一部切り欠き概略正面図、図２は図１のＸ−Ｘ方向の概略断面図である。
【００２７】
図１において、電球形蛍光ランプ１は、蛍光ランプ２、保持部材３、基板４、支持部材５およびカバー６を有して構成されている。電球形蛍光ランプ１は、蛍光ランプ２が保持部材３に保持され、保持部材３がカバー６に支持され、カバー６が支持部材５に支持されるように構成されている。そして、支持部材５の一端側に口金７が配設され、支持部材５の内部に点灯回路部品８が収容されている。
【００２８】
蛍光ランプ２は、それぞれ略Ｕ字形に屈曲された３本のバルブ９ａが継ぎ部１０によって連結された１つの屈曲形のバルブ９を有している。そして、バルブ９は、各バルブ９ａの内面に可視光を発光する図示しない蛍光体層が形成され、内部に水銀および希ガスとしてのアルゴンガスなどの図示しない放電媒体が封入されている。
【００２９】
また、バルブ９の両端部に一対のフィラメント電極（図示しない。）が封装されている。そして、当該両端部からフィラメント電極の両端にそれぞれ接続されている１対のリードワイヤ１１ａ，１１ａ、１２ａ，１２ａが引き出され、基板４の４個の電気端子１３に巻回されて接続されている。そして、各バルブ９ａのそれぞれの両端部は、保持部材３に保持されている。
【００３０】
保持部材３はポリブチレンテレフタレート（ＰＢＴ）などの耐熱性を有する合成樹脂により有底の略円筒状に形成されている。そして、底板１４には、蛍光ランプ２の各バルブ９ａのそれぞれの両端部を貫通または挿入させる図示しない孔や凹部が形成されている。各バルブ９ａは、それぞれの両端部が孔や凹部に貫通または挿入された状態でシリコーン樹脂などの接着材により底板１４に固着されている。そして、側壁１５の外面側に被係止部としての係止段部１６が周回に亘って形成されている。また、側壁１５の内面側には、円環状の段部１７が形成され、この段部１７に基板４を接着材により固定している。こうして、蛍光ランプ２は、保持部材３に保持されている。
【００３１】
基板４は、例えばガラスエポキシ樹脂や紙フェノール材からなり、円板状に形成されているとともに、図２に示すように、一面側（上面側）４ａに蛍光ランプ２を高周波点灯させる点灯回路の点灯回路部品８を実装している。点灯回路部品８は、電解コンデンサＣ１、ダイオードＤ１、抵抗Ｒ１，Ｒ２や集積回路（ＩＣ）ＩＣ１など、所望の電気特性を有するものが選定され、基板４の所定の位置に実装されている。点灯回路が口金７を介して給電されると、点灯回路部品８は、動作して蛍光ランプ２を高周波点灯させる。
【００３２】
図１において、支持部材５は、ポリブチレンテレフタレート（ＰＢＴ）などの耐熱性を有する合成樹脂により、一端側が円筒状の口金取付部１８に形成され、他端側が口金取付部１８よりも拡開している円筒状の支持本体部１９に形成されている。口金取付部１８は、電球用ソケットに装着可能な口金７を配設している。すなわち、口金７は、Ｅ２６形などのエジソン形の口金を構成しており、口金取付部１８に被せてポンチしてかしめられている。このとき、基板４の点灯回路部品８と電気的に接続される図示しないリード線（入力線）が口金７のアイレット部７ａおよびシェル部７ｂにそれぞれ接続される。また、支持本体部１９は、その他端側の下端面が基板４の一面側（上面側）４ａに載置されて、点灯回路部品８を収容している。
【００３３】
カバー６は、耐熱性および放熱性を有する金属例えばアルミニウム（Ａｌ）により、所定の肉厚を有する切頭半楕円体形状に形成され、一端側６ａおよび他端側６ｂに開口を有している。そして、他端側６ｂの内面側に、周回方向に等間隔で４箇所において、係止部としての係止爪２０が形成されている。
【００３４】
カバー６は、保持部材３および支持部材５を連結するものである。すなわち、カバー６の他端側６ｂの開口から支持部材５の口金取付部１８(口金７)を挿入してカバー６と支持部材５を結合させる。そして、基板４を段部１７に固着している保持部材３の側壁１５の内部に支持部材５の支持本体部１９を挿入させると、カバー６の係止爪２０が保持部材３の側壁１５の外面を乗り越えて係止段部１６に係合する。係止爪２０が側壁１５の外面を乗り越えるときに、カバー６の係止爪２０，２０間の部位が弾性変形する。そして、カバー６の一端側６ａの開口部の内側が支持部材５の一端側所定部位の外周部としての口金取付部１８の外面１８ａ（または支持本体部１９の外面１９ａ）を周回に亘って挟持し押圧する。そして、支持部材５の支持本体部１９は、基板４を保持部材３側に押圧する。この結果、カバー６、支持部材５および保持部材３が強固に一体化される。
【００３５】
カバー６は、上記のように、その他端側６ｂの内側に形成された係止爪２０が保持部材３の係止段部１６に係合して係止することにより保持部材３を支持し、一端側６ａの開口部の内側が支持部材５を挟持することにより支持部材５に支持され、支持部材５に装着される。すなわち、保持部材３は、カバー６の他端側６ｂを介して支持部材５の一端側（口金取付部１８側）に支持される。そして、カバー６の一端側６ａと口金７との間に所定の絶縁距離を有するようにカバー６の大きさが設定されている。カバー６は、支持部材５の口金７を除く外面１８ａ，１９ａを包囲して支持部材５に支持されているものである。
【００３６】
そして、カバー６は、係止爪２０が保持部材３の係止段部１６に係止しているので、電球形蛍光ランプ１を鉛直方向に対して蛍光ランプ２側が上側となるようにしても保持部材３や支持部材５から脱落しないものである。すなわち、保持部材３は、カバー６を固定しているものである。
【００３７】
上述したように、電球形蛍光ランプ１は、カバー６に形成された係止爪２０を保持部材３の外面側に形成された係止段部１６に係止させる簡易な構成により、カバー６、支持部材５および基板４を固定している保持部材３を容易に一体化させて形成することができる。したがって、電球形蛍光ランプ１を安価に形成することができる。また、保持部材３は、側壁１５の外面側に係止段部１６を設けており、側壁１５の内部側に支持部材５やカバー６を係止する係止手段を設けるものでないので、保持部材３の内部構造が複雑にならなくすることができ、保持部材３の大きさを最小限にすることができる。したがって、電球形蛍光ランプ１の長手方向の寸法を小さくすることができる。
【００３８】
なお、カバー６に係止部としての係止段部１６、保持部材３に被係止部としての係止爪２０を形成してもよい。
【００３９】
次に、本発明の第１の実施形態の作用について述べる。
【００４０】
電球形蛍光ランプ１が装着されている電球用ソケットに給電すると、口金７に電源電圧が印加され、点灯回路部品８が動作する。点灯回路部品８は、高周波電力を出力して蛍光ランプ２を高周波点灯させる。
【００４１】
蛍光ランプ２が点灯すると、屈曲形のバルブ９から可視光が放射される。そして、点灯回路部品８から発生する熱や蛍光ランプ２からの放射される熱により、支持部材５の内部温度およびカバー６の内部温度が上昇する。カバー６の内部の熱は、カバー６の外面から外気に放出される。カバー６は、放熱性を有する金属例えばアルミニウム（Ａｌ）により形成されているので、カバー６内の放熱が迅速に行われ、カバー６の内部温度が所定の温度に維持される。これにより、電球形蛍光ランプ１は、通常、蛍光ランプ２の寿命期間例えば２万時間にわたって使用することができる。
【００４２】
そして、点灯回路部品８が経年劣化や製造不良などにより異常発熱すると、さらには燃焼すると、それらの発生熱により樹脂製の支持部材５が溶融することがある。特に、支持部材５の近くに配設され、自己発熱量の大きい点灯回路部品８が異常発熱または燃焼すると、支持部材５が早く溶融するとともに、その溶融部位が拡大する。
【００４３】
そして、点灯回路部品８の異常発熱や燃焼が継続すると、電子部品として機能しなくなり、点灯回路から外れることになるため、点灯回路部品８の動作が停止するようになる。
【００４４】
電球形蛍光ランプ１は、支持部材５が溶融しても、カバー６は、耐熱性(難燃性)を有する金属例えばアルミニウム（Ａｌ）により形成されているので、加熱により温度上昇しても、溶融しにくいものである。したがって、点灯回路部品８が異常発熱し、さらに燃焼しても、電球形蛍光ランプ１を配設している照明器具への熱損傷を抑制することができる。
【００４５】
そして、電球形蛍光ランプ１は、万が一の点灯回路部品８の異常発熱や燃焼を想定し、基板４での配置や点灯回路部品８の選定の自由度を許容しているので、小形化や各種電気特性の改善を図ることができる。
【００４６】
次に、本発明の第２の実施形態について説明する。
【００４７】
図３は、本発明の第２の実施形態を示す電球形蛍光ランプの一部切り欠き概略正面図である。なお、図１と同一部分には同一符号を付して説明は省略する。
【００４８】
図３に示す電球形蛍光ランプ２１は、図１に示す電球形蛍光ランプ１において、支持部材５の支持本体部１９の先端に４個の係止爪２２が設けられ、保持部材３の側壁１５の内面に係止段部２３が設けられたものである。係止爪２２が係止段部２３に係止することにより、保持部材３は、支持部材５に支持されている。
【００４９】
そして、カバー６は、係止爪２０が保持部材３の係止段部１６に係止し、一端側６ａが支持部材５の外面１８ａ，１９ａに接触している。すなわち、カバー６は、保持部材３に固定されている。なお、カバー６の一端側６ａが支持部材６の外面１８ａ，１９ａを周回に亘って挟持するようにしてもよい。
【００５０】
電球形蛍光ランプ２１は、図１に示す電球形蛍光ランプ１と同様の作用、効果を有し、点灯回路部品８が異常発熱し、さらに燃焼しても、電球形蛍光ランプ２１を配設している照明器具への熱損傷を抑制することができる。
【００５１】
次に、本発明の第３の実施形態について説明する。
【００５２】
図４および図５は、本発明の第３の実施形態を示し、図４は電球形蛍光ランプの一部切り欠き概略正面図、図５は電球形蛍光ランプの概略分解斜視図である。なお、図１と同一部分には同一符号を付して説明は省略する。
【００５３】
図４に示す電球形蛍光ランプ２４は、図１に示す電球形蛍光ランプ１において、保持部材３、基板４および支持部材５がそれぞれ保持部材２５、基板２６および支持部材２７に形成されたものである。
【００５４】
保持部材２５は、図５に示すように、平面状の底板部２８に楕円形状の外面を有する略円筒部２９が形成されている。そして、略円筒部２９には、底板部２８側の外面側に被係止部としての円環状の係止段部１６が形成され、図４に示すように、内面側に段部３０が形成されている。
【００５５】
また、略円筒部２９には、図５に示すように、切り欠き部２９ａ、２９ａが形成されている。支持部材２７の支持本体部３２を略円筒部２９の内部に挿入した後に、切り欠き部２９ａ，２９ａから略円筒部２９の内部に治具が挿入される。そして、当該治具により、蛍光ランプ２のリードワイヤ１１ａ，１１ａ、１２ａ，１２ａと基板２６の電気端子１３とが接続される。
【００５６】
基板２６は、長方形状に形成され、点灯回路部品８および４個の電気端子１３を適宜配置している。そして、基板２６は、支持部材２７にまたは口金７のアイレット部７ａ側に図示しない取付部材により、一面２６ａが口金７のシェル部７ｂと対向するように縦形に取り付けられている。
【００５７】
支持部材２７は、円筒状の口金取付部３１およびこの口金取付部３１の周回方向に等間隔の４箇所から突出する４個の突出片からなる支持本体部３２に形成されている。支持本体部３２は、図４に示すように、保持部材２５の略円筒部２９の内部に挿入され、段部３０に載置される。
【００５８】
そして、口金７をカバー６に挿通させた後、カバー６の係止部としての係止爪２０を略円筒部２９の係止段部１６に係止させることにより、カバー６の他端側６ａの開口部が支持本体部３２の外面３２ａ側を挟持する。これにより、カバー６、支持部材２７および保持部材２５が一体化し、電球形蛍光ランプ２４が形成される。
【００５９】
電球形蛍光ランプ２４は、点灯回路部品８の多くが口金７の内部に位置し、支持部材２７の内部に位置する点灯回路部品８とカバー６との間には、保持部材２５の略円筒部２９が介在している。したがって、点灯回路部品８が異常発熱し、さらに燃焼しても、金属製のカバー６または口金７は、加熱により温度上昇しても溶融しにくく、これにより、電球形蛍光ランプ２４を配設している照明器具への熱損傷を抑制することができる。
【００６０】
次に、本発明の第４の実施形態について説明する。
【００６１】
図６は、本発明の第４の実施形態を示す電球形蛍光ランプの一部切り欠き概略正面図である。なお、図４と同一部分には同一符号を付して説明は省略する。
【００６２】
図６に示す電球形蛍光ランプ３３は、図４に示す電球形蛍光ランプ２４において、支持部材２７の支持本体部３２の先端に係止爪３４が設けられ、保持部材２５の略円筒部２９の内面に係止段部３５が設けられたものである。係止爪３４が係止段部３５に係止することにより、保持部材２５は、支持部材２７に支持されている。
【００６３】
そして、カバー６は、係止爪２０が保持部材２５の係止段部１６に係止し、一端側６ａが支持部材２７の支持本体部３２の外面３２ａに接触している。すなわち、カバー６は、保持部材２５に固定されている。なお、カバー６の一端側６ａが支持部材２７の外面３２ａを周回に亘って挟持するようにしてもよい。
【００６４】
電球形蛍光ランプ３３は、図４に示す電球形蛍光ランプ２４と同様の作用、効果を有し、点灯回路部品８が異常発熱し、さらに燃焼しても、電球形蛍光ランプ３３を配設している照明器具への熱損傷を抑制することができる。
【００６５】
次に、本発明の第５の実施形態について説明する。
【００６６】
図７は、本発明の第５の実施形態を示す電球形蛍光ランプの一部切り欠き概略正面図である。なお、図３と同一部分には同一符号を付して説明は省略する。
【００６７】
図７に示す電球形蛍光ランプ３６は、図３に示す電球形蛍光ランプ２１において、保持部材３がグローブ取付部３７を有する保持部材３８に形成されているものである。そして、グローブ取付部３７に、蛍光ランプ２を内包するようにして透光性のグローブ３９が取り付けられている。グローブ３９は、透明または光拡散性を有するガラスや合成樹脂などにより、略茄子状に形成されており、一端側３９ａがグローブ取付部３７の内面に図示しない接着材により固着されている。グローブ取付部３７は、グローブ３９の一端側３９ａを接着材により固着してグローブ３９を取り付ける簡素な取付け構造となっている。
【００６８】
保持部材３８に簡素な取付け構造のグローブ取付部３７が形成されているので、カバー６、支持部材５および保持部材３８を一体化させた後に、グローブ３９をグローブ取付部３７に容易に取り付けることができる。したがって、容易にグローブ３９付きの電球形蛍光ランプ３６を形成することができる。
【００６９】
次に、本発明の第６の実施形態について説明する。
【００７０】
図８は、本発明の第６の実施形態を示す照明器具の一部切り欠き正面図である。なお、図１と同一部分には同一符号を付して説明は省略する。
【００７１】
図８に示す照明器具４０は、天井４１に埋設されるダウンライトであり、外形が有底の略円筒状である器具本体４２に電球形蛍光ランプ１が取り付けられる電球用ソケット４３が配設されている。器具本体４２は、器具本体４２と一体的に設けられているカバー体４４と板バネ４５，４５により、天井４１が挟持されて、天井４１に固定されている。そして、電球用ソケット４３には、電球形蛍光ランプ１が取り付けられている。
【００７２】
電球形蛍光ランプ１の蛍光ランプ２からの放射光は、直接光および器具本体４２の内面で反射された反射光となって、カバー体４４の開口４６から下面側に出射される。蛍光ランプ２は、屈曲形のバルブ９を有して形成されているので、放射長が長く、照明エリアを明るく照明することができる。
【００７３】
そして、電球形蛍光ランプ１の点灯回路部品８が異常発熱し、さらに燃焼しても、照明器具本体４２が電球形蛍光ランプ１から熱損傷を受けにくい照明器具４０を提供することができる。
【図面の簡単な説明】
【００７４】
【図１】本発明の第１の実施形態を示す電球形蛍光ランプの一部切り欠き概略正面図。
【図２】同じく、図１のＸ−Ｘ方向の概略断面図。
【図３】本発明の第２の実施形態を示す電球形蛍光ランプの一部切り欠き概略正面図。
【図４】本発明の第３の実施形態を示す電球形蛍光ランプの一部切り欠き概略正面図。
【図５】同じく、電球形蛍光ランプの概略分解斜視図。
【図６】本発明の第４の実施形態を示す電球形蛍光ランプの一部切り欠き概略正面図。
【図７】本発明の第５の実施形態を示す電球形蛍光ランプの一部切り欠き概略正面図。
【図８】本発明の第６の実施形態を示す照明器具の一部切り欠き正面図。
【符号の説明】
【００７５】
１，２１，２４，３３，３６…電球形蛍光ランプ
２…蛍光ランプ
３，２５，３８…保持部材
４，２６…基板
５，２７…支持部材
６…カバー
１６…被係止部としての係止段部
２０…係止部としての係止爪
３７…グローブ取付部
３９…グローブ
４０…照明器具
４２…照明器具本体
【図１】
2009181848.tif 000003
【図２】
2009181848.tif 000004
【図３】
2009181848.tif 000005
【図４】
2009181848.tif 000006
【図５】
2009181848.tif 000007
【図６】
2009181848.tif 000008
【図７】
2009181848.tif 000009
【図８】
2009181848.tif 000010